(57)【要約】【課題】  同じ型の椅子を他の椅子と垂直に重ね合わせ、或いは、中に縦にはめ込むことができる筆記板付きの椅子を提供する。【解決手段】  シート１４、背もたれ１６、および、第１下降使用不能位置と上昇使用可能位置との間で移動可能な筆記板３８とを支持する支持構造体１２とからなる椅子１０であって、第１下降使用不能位置において、筆記板３８は、垂直軸に対して平行であり、且つ、椅子１０の縦方向の軸に平行な垂直面に対して傾斜しており、第２下降使用不能位置において、筆記板３８は、垂直な軸に対して傾斜しており、且つ、椅子１０の縦方向の軸に平行な垂直面に対して傾斜している。【選択図】図２
2005169109.tif 000002
【特許請求の範囲】
【請求項１】
シート（１４）、背もたれ（１６）、および、第１下降使用不能位置と上昇使用可能位置との間で移動可能な筆記板（３８）とを支持する支持構造体（１２）からなる椅子であって、前記第１下降使用不能位置において、前記筆記板（３８）は、垂直軸に対して平行であり、且つ、前記椅子の縦方向の軸に平行な垂直面に対して傾斜しており、これにより、２つの隣接する椅子の前記筆記板を互いに部分的に重ね合わせて、２つ以上の同じ型の椅子を縦方向に互いに接近させることができる椅子において、
前記筆記板（３８）は、第２下降使用不能位置にも位置することができ、
前記第２下降使用不能位置において、前記筆記板は、垂直軸に対して傾斜しており、且つ、前記椅子の縦方向の軸に平行な垂直面に対して傾斜しており、
これにより、２つの隣接する椅子の前記筆記板を互いに部分的に重ね合わせて、２つ以上の同じ型の椅子を縦方向に互いに重ね合わせることができることを特徴とする椅子。
【請求項２】
前記筆記板（３８）は、連結装置（４０）で支持され、
前記連結装置（４０）は、前記筆記板（３８）の面に対して平行な第１回転軸（４８）と、前記筆記板（３８）の面に直交する第２回転軸（８７）とを有することを特徴とする請求項１に記載の椅子。
【請求項３】
前記連結装置（４０）は、前記第１下降使用不能位置と前記第２下降使用不能位置とに対応する２つの安定した位置に前記筆記板（３８）を保持する２つの保持手段（７８，５２）を包含することを特徴とする請求項２に記載の椅子。
【請求項４】
前記連結装置（４０）は、前記第１回転軸（４８）を定める旋回軸（４６）が設けられた固定支持体（４２）を包含し、
前記旋回軸（４６）上に、前記第２回転軸（８７）を定める旋回軸型部（８４）を有する回転体（６６）が旋回可能に取り付けられていることを特徴とする請求項３に記載の椅子。
【請求項５】
前記連結装置（４０）は、弾性薄板（７８）を支持する被覆部材（７２）を包含し、
前記弾性薄板（７８）は、前記固定支持体（４２）の保持部（５０）に形成した１対の保持溝（５２）と協働することを特徴とする請求項４に記載の椅子。
【請求項６】
前記筆記板（３８）は、前記回転体（６６）の前記旋回軸型部（８４）と旋回可能に係合する貫通孔（９４）が設けられた支持板（９０）に固定され、
拘束部材（９８）が前記旋回軸型部（８４）の一端に固定されたことを特徴とする請求項４に記載の椅子。
【請求項７】
前記支持構造体（１２）は、前記椅子の両側に、略Ｘ型の配置になるように互いに固定された第１棒体（１８）および第２棒体（２０）からなり、
前記第１棒体（１８）および第２棒体（２０）は、互いから横方向に間隔が置かれていることを特徴とする請求項１に記載の椅子。
【請求項８】
前記第１棒体（１８）は、後脚を形成する下部（２２）と、肘掛け（２６）の支持部を形成する上部（２４）とを有し、
前記第２棒体（２０）は、前脚を形成する下部（２６）と、背もたれ（１６）の支持部を形成する上部（２８）とを有することを特徴とする請求項７に記載の椅子。
【請求項９】
前記椅子の両側に肘掛け（２６）を有し、
前記肘掛け（２６）は、それぞれ、水平な軸周りに、下降使用可能位置と上昇使用不能位置との間で回動可能であることを特徴とする請求項８に記載の椅子。
【発明の詳細な説明】
【技術分野】
【０００１】
本発明は筆記板付き椅子に関する。このような椅子は、通常、集会、会議、講義などの参加者が座る場所に使用される。
【背景技術】
【０００２】
通常、筆記板は、椅子の支持構造に連結した構造で取り付けられ、使用不能な下降位置と使用可能な上昇位置との間で移動可能であり、上昇位置において筆記またはポータブルコンピュータの操作に占有される支持平面を形成する。
【０００３】
会議などでの使用に向いた椅子として適合するための要求のひとつは、非使用時に収容するときに他の椅子の内側にはめ込めることである。
【０００４】
同じ出願人による文献欧州特許第１２６６５９６号公報は、主たる請求項の序文に筆記板付き椅子について記載している。この文献に記載されている椅子は、使用不能な下降位置において、垂直な軸に平行で椅子の対称の縦方向の面に平行な平面に対して傾斜した筆記テーブルを包含し、これにより、２つ以上の同種の椅子を、２つの隣接する椅子のテーブルを部分的に互いに重ね合わせて、長手方向に互いに接近して置くことができる。
【０００５】
文献米国特許第３７１２６６８号公報は、水平な位置と下側で外側に傾斜した位置との間で移動可能な椅子について記載している。これにより、２つ以上の同型の椅子が相互に垂直方向に、２つの隣接する椅子の筆記板を互いに重ね合わせて、重ね合わせることができる。
【特許文献１】欧州特許第１２６６５９６号公報
【特許文献２】米国特許第３７１２６６８号公報
【発明の開示】
【発明が解決しようとする課題】
【０００６】
本発明は、同じ型の椅子を他の椅子と垂直に重ね合わせ、或いは、中に縦にはめ込むことができる筆記板付きの椅子を提供することを課題とする。また、本発明は、特に簡単で経済的な筆記板の関節機構を提供することをも課題とする。
【課題を解決するための手段】
【０００７】
本発明によれば、これらの課題は、シート、背もたれ、および、第１下降使用不能位置と上昇使用可能位置との間で移動可能な筆記板を支持する基礎構造体からなる椅子であって、前記第１下降使用不能位置において、前記筆記板は、垂直な軸に対して平行し、且つ、前記椅子の縦方向の軸に平行な垂直面に対して傾斜し、前記第２下降使用不能位置において、前記筆記板は、垂直な軸に対して傾斜し、且つ、前記椅子の縦方向の軸に平行な垂直面に対して傾斜する椅子によって達成される。前記筆記板が第１下降使用不能位置にも位置する状態で、２つの隣接する椅子の前記筆記板を互いに部分的に重ね合わせて、２つ以上の同じ型の椅子を縦方向に互いに接近させることができ、前記筆記板が第２下降使用不能位置に位置する状態で、２つの隣接する椅子の前記筆記板を互いに部分的に重ね合わせるように、２つ以上の同じ型の椅子を縦方向に互いに重ね合わせることができる。
【発明を実施するための最良の形態】
【０００８】
ここに、純粋に非限定的な例として提供した添付図面を参照しながら、本発明を詳細に説明する。
【０００９】
図１を参照すると、符号１０は、本発明による椅子を示す。椅子１０は、シート１４および背もたれ１６を支持する支持構造体１２からなる。支持構造体１２は、椅子１０の両側の第１棒体１８および第２棒体２０からなる。第１棒体１８は、第２棒体２０に対して側方外側にずれている。２つの棒体１８，２０は、概略Ｘ型に互いに固定されている。第１棒体１８は椅子の後脚を形成する下部２２と肘掛け２６の支持部を形成する上部２４とを有する。第２棒体２０は、椅子の前脚を形成する下部２６と背もたれ１６の支持部を形成する上部２８とを有する。第１棒体１８および第２棒体２０の下部２２および下部２６は、それぞれ車輪３０，３２を支持する。
【００１０】
シート１４は、支持構造１２に、図１の表示面に直交する横断軸３６の周りに連結されている。シート１４は、図１に図示した下降位置と不図示の上昇位置の間で可動である。
【００１１】
第１棒体１８の上部２４は、肘掛け２６に加えて、筆記板３８を有する。椅子１０の支持構造１２は、椅子の片側だけにある筆記板３８を除いて、中央の垂直な平面に対して対称である。例示するように、筆記板３８は、多くのユーザが右利きであるために、椅子１０の右側に場所を定めて、第１棒体１８の上端に設置される。筆記板３８は、支持構造１２の残る部分を実質的に変更することなく、椅子１０の左側に設置することも当然に可能である。
【００１２】
図２を参照すると、全体を符号４０で示した連結装置によって第１棒体１８の上部２４に接続されている。連結装置４０は、第１棒体１８の上端に固定された固定支持体４２を包含する。第１棒体１８は、好ましくは、アルミニウムまたは同様の軽金属で射出成形された管状の部材で構成される。固定支持体４２は、第１棒体１８の断面に対応する形状の締結部４４を有する。固定支持体４２の締結部４４は、第１棒体１８の開放した上端の中に、僅かな押し込みまたは接着剤を用いて挿入される。固定支持体４２は、第１回転軸４８を定める突出した旋回軸４６を有する。旋回軸４６は、ねじ５６が係合するねじが切られた横断孔５４が設けられている。旋回軸４６の基部には、互いに円周方向にずらされた２つの保持溝５２を有する円筒面によって形成された保持部５０が設けられている。
【００１３】
固定支持体４２は、こちらは旋回軸４６の軸４８に平行な貫通孔６０を有する必要な座５８も設けられている。座５８の貫通孔６０は、肘掛け２６に固定した回転軸６２が回転可能に係合する。後に説明するように、肘掛け２６は、下降位置と上昇位置との間で固定支持体４２に対して約９０°回動可能である。好ましくは、弾性部材６４が、肘掛け２６と座５８との相対運動する範囲の表面の間に配置される。
【００１４】
連結装置４０は、固定支持体４２の旋回軸４６に設置され、第１回転軸４８の周りで回転可能な金属製の回転体６６を包含する。回転体６６は、旋回軸４６が回転可能に挿入される貫通孔７０を有する円筒状の頭部６８を備える。回転体４６の頭部６８は、貫通孔７０の軸に対して直角方向で、互いに約９０°の位置にある２つの隣接面を有する開口（図２の描写では視認できない）を備える。ねじ５６は、前記開口を貫通して延伸し、固定支持体４２に対する回転体６６の互いに約９０°の位置にある２つの停止端位置を定める。ねじ５６は、旋回軸４６に対する回転体６６の軸方向の抜けを防止する止め具をも構成する。
【００１５】
連結装置４０は、好ましくは射出成形された樹脂材料からなり、互いに直交する位置にある２つの円筒部７４，７６を有する被覆部材７２からなる。第１円筒部７４は、回転体６６の頭部６８を受け入れる。第２円筒部７６は、その内部に、略Ｍ型の金属薄板によって形成され、先鋭な中央部８０と２つの側部８２とを有する弾性保持部材７８を受け入れる。側部８２は、第２円筒部７６の内壁に設けた個別の溝に係合する。第２円筒部７６は、固定支持体４２の保持部５０の円筒面に回転可能に係合する。弾性保持部材７８の先鋭な中央部８０は、保持部５０の保持溝５２に回転可能に係合して、２つの安定した保持位置を定める。
【００１６】
回転体６６は、第１回転軸４８に対して直交して伸びる第２回転軸８７を定める必要な旋回軸型部８４を有する。回転体６６の旋回軸型部８４は、方形部分８６とねじが切られた軸方向の孔８８とが設けられた端部を有する。
【００１７】
筆記板３８は、貫通孔９４が設けられたハブ９２を有する金属製支持板９０を包含する。樹脂製ブッシング９６は貫通孔９４に挿入される。ブッシング９６の内側表面は、回転体６６の旋回軸型部８４の外側表面と係合する。拘束部材９８は、旋回軸型部８４の方形部分端部８６に取り付けられる。拘束部材９８は、支持板９０のハブ９２に形成された対応する拘束面１０２と協働する２つの拘束面１００を有する。拘束部材１００は、金属座金１０４と、ねじ孔８８に係合するねじ１０６とによって回転体６６の旋回軸型部８４に固定される。波状の弾性リング１０８は、好ましくは座金１０４と拘束部材９８との間に配置される。
【００１８】
支持板９０は、ねじ１１０によって筆記板３８に固定される。支持板９０は、第２回転軸８７の周りに、拘束部材９８の面１００が、支持板９０の対応する面１０２に対する接触位置によって定められる２つの終端位置の間で回転可能である。支持板９０およびそこに固定した筆記板３８は、第２回転軸８７の周りに約１８０°角度的に進展するような回動動作が自由である。
【００１９】
図５を参照すると、上述の連結装置４０は、上昇使用可能位置から２つの下降使用不能位置への、およびその逆の、筆記板３８の移動を許す。図５に実線で示した使用可能位置から始まって、筆記板３８は、先ず、第１回転軸４８の周りに約９０°回転して、矢印１１２で示した方向に持ち上げられる。そして、筆記板３８は、第２回転軸８７の周りに約１８０°矢印１１４で示した方向に、端部停止位置に達するまで回動させられる。使用不能下降位置から使用可能上昇位置に移動させるには、上記の動作を逆の順序で実行する。
【００２０】
第１回転軸４８は、ほぼ水平で、椅子の縦方向の面に対して傾斜している。特に、第１回転軸４８は、椅子の後部から前部に向かう方向に椅子の外側から内側に向かって傾斜している。
【００２１】
第１回転軸の傾斜した姿勢によって、筆記板３８は、使用不能下降位置において、椅子の縦方向の軸に平行な垂直面に対して傾斜している。
【００２２】
図３および４を参照すると、上述の連結装置４０は、筆記板３８が第１および第２下降使用不能位置につくことを可能にする。図３に示す第１下降使用不能位置において、筆記板３８は、垂直な軸に平行またはほぼ平行であり、且つ、椅子の縦方向の軸に平行な垂直面に対して傾斜している。図４に示す第２下降使用不能位置において、筆記板３８は、垂直な軸に対して傾斜しており、且つ、椅子の縦方向の軸平行な垂直な軸に対しても傾斜している。筆記板３８は、図３および４に示す２つの使用不能位置に、弾性部材７８の先鋭部８０が固定支持体４２の保持部５０に設けられた２つの保持溝５２の１つに係合することで、安定して保持される。図３および図４の１つの安定な保持位置から筆記板３８を移動するには、ユーザは十分なトルクを与えて、弾性部材７８の先端をそれぞれの位置決め溝５２との係合から離脱させなければならない。
【００２３】
図６に示すように、椅子２６の２つの肘掛け２６は、それぞれ、第１回転軸４８に平行な軸の周りに約９０°、破線で示した使用可能下降位置と実線で示した使用不能上昇位置との間で回動可能である。
【００２４】
椅子１０の支持構造体１２は、２つ以上の同じ型の椅子１０を縦方向に互いにはめ込むことも、垂直方向に重ね合わせることもできるように形成されている。２つ以上の同じ型の椅子１０を互いの中に縦方向にはめ込むためには、筆記板３８は図３に示す第１下降使用不能位置に配置される。肘掛け２６は上昇位置に配置され、シート１４は跳ね上げられる。この状態で、２つ以上の同じ型の椅子１０は、互いの中に縦方向にはめ込むことができる。前の椅子１０の筆記板３８は、後ろの椅子１０の筆記板３８に対して外側に、部分的に重なるように位置する。後ろの椅子１０の前脚２６は、前の椅子１０の後脚２２の間に位置し、前の椅子１０の背もたれ１６を支持する上部２８は、後ろの椅子１０の肘掛け２６を支持する上部２４の間に位置する。前の椅子１０の肘掛け２６は後ろの椅子１０の肘掛け２６に対して外側に、部分的に重なるように位置する。
【００２５】
２つの同じ型の椅子１０を互いの上に重ね合わせるためには、２つの椅子１０の筆記板３８は、同じ図４に示す第２下降使用不能位置に配置される。肘掛け２６は、上昇位置に配置され、シート１４は跳ね上げられる。この状態で、上の椅子１０の筆記板３８は、下の椅子１０の筆記板３８に対して外側に、部分的に重なるように位置する。上の椅子１０の台２棒体２０は、下の椅子１０の第２棒体２０の上に位置し、上の椅子１０の第１棒体１８は、下の椅子１０の第１棒体１８の上に位置する。
【図面の簡単な説明】
【００２６】
【図１】本発明にかかる椅子の側面図。
【図２】図１の矢印IIで示す部分の分解斜視図。
【図３】図１の矢印IIIにかかる第１使用不能位置にある筆記板を示す部分図。
【図４】図１の矢印IIIにかかる第２使用不能位置にある筆記板を示す部分図。
【図５】本発明にかかる筆記板の動作の手順を示す斜視図。
【図６】肘掛けの回動動作を示す斜視図。
【符号の説明】
【００２７】
１０  椅子
１２  支持構造体
１４  シート
１６  背もたれ
１８  第１棒体
２０  第２棒体
２６  肘掛け
３８  筆記板
４０  連結装置
４２  固定支持体
４８  第１回転軸
５０  保持部
６６  回転体
７２  被覆部材
７８  弾性薄板
８７  第２回転軸
９０  支持板
９８  拘束部材
【図１】
2005169109.tif 000003
【図２】
2005169109.tif 000004
【図３】
2005169109.tif 000005
【図４】
2005169109.tif 000006
【図５】
2005169109.tif 000007
【図６】
2005169109.tif 000008